Podtech/llm-jp-corpus-v4-ja_patent huggingface dataset:
【誤訳訂正書】
【提出日】令和3年10月22日(2021.10.22)
【誤訳訂正１】
【訂正対象書類名】特許請求の範囲
【訂正対象項目名】全文
【訂正方法】変更
【訂正の内容】
【特許請求の範囲】
【請求項１】
加水分解触媒を備える選択的触媒還元システムのための方法であって：
少なくとも１組の測定データを受信するステップ；
前記少なくとも１組の測定データに基づいて前記選択的触媒還元システムの第１，第２及び第３の特性セットを導き出すステップであって，
前記第１の特性セットが，前記選択的触媒還元システムにおける構成部品の状態に関連し，
前記第２の特性セットが，前記選択的触媒還元システムの出力に関連し，
前記第３の特性セットが，モデルの不確実性，センサノイズ，及び／又は前記選択的触媒還元システムに作用する外乱に起因する前記選択的触媒還元システムの入力，状態又は出力における，モデル化されない，又は測定されないバイアス又はスケーリングファクタに関連する，当該ステップ；並びに
前記導き出された前記第１，第２及び第３の特性セットを使用して，前記選択的触媒還元システムを制御するステップ；を備え：
前記第１の特性セットは，各々が前記加水分解触媒における複数の内部状態の１つを記述する複数の第１のパラメータを含み；
前記導き出すステップは，非線形アルゴリズムのセットを使用して前記第１，第２及び第３の特性セットを導き出すステップを含む方法。
【請求項２】
請求項１に記載された方法であって，前記第１の特性セットは：前記加水分解触媒に蓄積されているイソシアン酸のレベル；前記加水分解触媒に蓄積されているアンモニアのレベル；前記加水分解触媒に蓄積されているＤＥＦのレベル；前記加水分解触媒に蓄積されている固体尿素のレベル；前記加水分解触媒に蓄積されている水のレベル；前記加水分解触媒の内部温度；又は前記レベルの少なくとも１つのプロファイル／分布パラメータ；以上の少なくとも１つを含む，方法。
【請求項３】
請求項１又は２に記載された方法であって，前記第２の特性セットは，前記加水分解触媒の出力に関連する，方法。
【請求項４】
請求項３に記載された方法であって，前記第２の特性セットは，尿素の量；イソシアン酸の量；アンモニアの量；出力温度；又は前記量又は温度の少なくとも１つのプロファイル／分布ベクトル；以上の少なくとも１つを含む，方法。
【請求項５】
請求項１〜４の何れか一項に記載された方法であって，前記非線形アルゴリズムのセットは：無香カルマンフィルタ；拡張カルマンフィルタ；ムービングホライズン推定器；又は粒子フィルタ；以上の少なくとも１つを含む，方法。
【請求項６】
請求項１〜５の何れか一項に記載された方法であって，前記少なくとも１組の測定データは：ＤＥＦ投与率；入口温度；入口質量流量；又は少なくとも１種の化合物の入口濃度；以上の少なくとも１つを含む，方法。
【請求項７】
請求項１〜６の何れか一項に記載された方法であって，前記少なくとも１組の測定データは：出口温度；又は少なくとも１種の化合物の出口濃度；以上の少なくとも１つを含む，方法。
【請求項８】
排出通路内で排出ガスを処理するための選択的触媒還元システムであって：
加水分解触媒；
前記加水分解触媒にＤＥＦを噴射するためのＤＥＦ投与ユニット；
請求項１〜７の何れか一項に記載された方法を実施するためのコントローラ；並びに，
前記コントローラに接続された複数のセンサ；
を備える，選択的触媒還元システム。
【請求項９】
請求項１〜７の何れか一項に記載された方法を実施するために，機械読み取り可能な指示の１つ又は複数のシーケンスを含むコンピュータプログラム製品。
【請求項１０】
請求項９に記載された選択的触媒還元システムを備える，エンジン用の排出装置。
【請求項１１】
請求項９に記載された選択的触媒還元システムを備えるエンジン。
【誤訳訂正２】
【訂正対象書類名】明細書
【訂正対象項目名】００１１
【訂正方法】変更
【訂正の内容】
【００１１】
第３の態様において，本発明は，上述した方法を実施するために，機械読み取り可能な指示の１つ又は複数のシーケンスを含むコンピュータプログラム製品を提供する。
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
分析システムで対象分析物を支持するフローセルと流体的に接続されるフローセル流路と、
複数の試薬流路、更なる流路、混合チャネル及びセレクタバルブを含み、複数の試薬容器から前記セレクタバルブ経由で前記混合チャネルに試薬を吸引して、吸引される前記複数の試薬容器からの前記試薬を前記混合チャネルから前記セレクタバルブ経由で行先容器に排出し、混合済み試薬を前記行先容器から前記フローセル流路に搬送する流体システムと、
前記流体システムと流体連通し、細長い本体及びノズル挿入部を含むノズルシッパーと、
を備えるシステムであり、
前記複数の試薬流路のそれぞれは選択的に、前記複数の試薬容器のある試薬容器に第１端部で流体連通し、前記セレクタバルブに第２端部で流体連通し、
前記更なる流路は選択的に、前記行先容器に第１端部で流体連通し、前記セレクタバルブに第２端部で流体連通し、
前記混合チャネルは、前記セレクタバルブに第１端部で流体的に結合し、
前記細長い本体は、前記本体の端部間で延びる中央ルーメンを有し、
前記ノズル挿入部は、前記中央ルーメンの遠位端部に配置され、
前記ノズルシッパーは、前記混合済み試薬を前記行先容器から吸引し、前記混合済み試薬を前記ノズル挿入部経由で前記行先容器に排出して戻す、システム。
【請求項２】
前記ノズル挿入部及びルーメンは、前記ノズルシッパーから前記ノズル挿入部を通じて前記行先容器内に前記試薬を放出するときに前記行先容器で混合する渦度を高める寸法である、請求項１に記載のシステム。
【請求項３】
ルーメンは約０．５ミリメートルの公称内径を有し、前記ノズル挿入部は約０．２５ミリメートルの公称内径を有する管状の挿入部である、請求項１に記載のシステム。
【請求項４】
前記ノズルシッパーの前記遠位端部は、前記ノズルシッパーの中心軸線に対してオフセットする頂点で交わる複数ファセットを含むくさび形状を有する、請求項１に記載のシステム。
【請求項５】
前記ノズル挿入部は、前記ノズルシッパーの前記遠位端部の前記くさび形状と対応する形状である遠位端部を有する、請求項４に記載のシステム。
【請求項６】
前記くさび形状は、前記頂点で交わる４つのファセットを含む、請求項４に記載のシステム。
【請求項７】
前記ノズルシッパーは、前記行先容器の底面から２ミリメートルの公称距離まで延在する、請求項１に記載のシステム。
【請求項８】
それぞれの試薬を吸引する複数の他のシッパーを備え、
前記他のシッパーはノズル挿入部を持たない、請求項１に記載のシステム。
【請求項９】
前記ノズルシッパーは、混合される容器を、少なくとも約５，０００μＬ／分の流量で、少なくとも約１，６００ミリメートル／秒の流速まで加速させる、請求項１に記載のシステム。
【請求項１０】
分析システムで対象分析物を支持するフローセルと、
複数の試薬流路、更なる流路、混合チャネル及びセレクタバルブを含み、複数の試薬容器から前記セレクタバルブ経由で前記混合チャネルに試薬を吸引して、吸引される前記複数の試薬容器からの前記試薬を前記混合チャネルから行先容器に排出し、混合済み試薬を前記行先容器から前記フローセルに搬送する流体システムと、
前記流体システムと流体連通し、細長い本体及びノズルを含むノズルシッパーと、
前記流体システムに動作可能に結合される制御回路と、
を備えるシステムであり、
前記複数の試薬流路のそれぞれは選択的に、前記複数の試薬容器のある試薬容器に第１端部で流体連通し、前記セレクタバルブに第２端部で流体連通し、
前記更なる流路は選択的に、前記行先容器に第１端部で流体連通し、前記セレクタバルブに第２端部で流体連通し、
前記混合チャネルは、前記セレクタバルブに第１端部で流体的に結合し、
前記細長い本体は、前記本体の端部間で延びる中央ルーメンを有し、
前記ノズルは、前記細長い本体の遠位端部に配置され、
前記ノズルは前記中央ルーメンの公称内径を減少させ、
前記制御回路は、前記流体システムを制御して前記流体システムに、
前記試薬のセットを１つずつ前記混合チャネルに吸引させ、
前記ノズルを通じて前記試薬のセット内の前記試薬を前記行先容器内へ排出させ、
前記ノズルを通じて前記行先容器から前記試薬のセットを混合するために吸引させ、
前記ノズルを通じて混合済み試薬の前記セットを前記行先容器に排出して戻させる、
システム。
【請求項１１】
前記ノズルは、前記ノズルシッパーの前記遠位端部で前記中央ルーメンに挿入される挿入部を含む、請求項１０に記載のシステム。
【請求項１２】
前記行先容器はシーケンシングされる分析物を包含する、請求項１０に記載のシステム。
【請求項１３】
前記中央ルーメンは０．５ミリメートルの公称内径を有し、前記ノズルは０．２５ミリメートルの公称内径を有する、請求項１０に記載のシステム。
【請求項１４】
前記ノズルシッパーの前記遠位端部は、前記ノズルシッパーの中心軸線に対してオフセットする頂点で交わる複数ファセットを含むくさび形状を有する、請求項１０に記載のシステム。
【請求項１５】
前記ノズルは、前記ノズルシッパーの前記遠位端部の前記くさび形状と対応する形状である遠位端部を有する、請求項１４に記載のシステム。
【請求項１６】
（ａ）ポンプを作動させて、複数の試薬を対応する複数の試薬容器から１つずつ混合チャネルに吸引するステップと、
（ｂ）前記ポンプを作動させて、前記混合チャネルから前記試薬を前記ポンプに流体連通するノズルシッパー経由で行先容器に排出するステップと、
（ｃ）前記ポンプを作動させて、前記試薬を前記行先容器から前記ノズルシッパーを通じて吸引して、前記試薬を更に混合するステップと、
（ｄ）前記ポンプを作動させて、前記試薬を前記ノズルシッパーから排出して前記行先容器に戻すステップと、
を含む方法であり、
前記ノズルシッパーは中央ルーメンとノズルとを有する細長い本体を含み、
前記中央ルーメンは前記細長い本体の端部間で延び、
前記ノズルは、前記細長い本体の遠位端部に配置され、
前記ノズルは前記中央ルーメンの公称内径を減少させる、方法。
【請求項１７】
前記ノズル及びルーメンは、前記ノズルシッパーから前記ノズルを通じて前記行先容器内に前記試薬を放出するときに前記行先容器で混合する渦度を高める寸法である、請求項１６に記載の方法。
【請求項１８】
前記中央ルーメンは０．５ミリメートルの公称内径を有し、前記ノズルは前記中央ルーメンに挿入され０．２５ミリメートルの公称内径を有する挿入部を含む、請求項１６に記載の方法。
【請求項１９】
前記ノズルシッパーの前記遠位端部は、前記ノズルシッパーの中心軸線に対してオフセットする頂点で交わる複数ファセットを含むくさび形状を有する、請求項１６に記載の方法。
【請求項２０】
前記試薬は、異なる特定の重さの少なくとも３つの試薬を含む、請求項１６に記載の方法。
【請求項２１】
（ｄ）を実施する前に（ｂ）及び（ｃ）の繰り返しを１回以上実施することを更に含む、請求項１６に記載の方法。
【誤訳訂正書】
【提出日】令和3年7月6日(2021.7.6)
【誤訳訂正１】
【訂正対象書類名】特許請求の範囲
【訂正対象項目名】全文
【訂正方法】変更
【訂正の内容】
【特許請求の範囲】
【請求項１】
駆動信号を制限する方法であって、
共振周波数を有する計器アセンブリのための駆動信号を提供することと、
前記駆動信号が前記計器アセンブリの前記共振周波数に達しなかった場合、前記駆動信号が前記共振周波数に達する予想時刻に基づく第1の駆動期間後に、前記駆動信号を中断することと、を含み、
前記駆動信号を提供することは、前記共振周波数を含む一定の範囲にわたって前記駆動信号の周波数を掃引することを含む、方法。
【請求項２】
前記駆動信号を中断することは、休止部分によって前記駆動信号を中断することを含む、請求項1に記載の方法。
【請求項３】
前記第1の駆動期間の後に前記計器アセンブリのための前記駆動信号を提供することをさらに含む、請求項1または2に記載の方法。
【請求項４】
駆動信号を制限するための計器電子回路（100）であって、
前記計器電子回路（100）は、
プロセッサ（110）と、
前記プロセッサ（110）に通信可能に結合されている1つまたは複数の信号プロセッサ（120）であって、前記1つまたは複数の信号プロセッサ（120）は、共振周波数を有する計器アセンブリ（10a、10b）のための駆動信号を提供することと、前記駆動信号が前記計器アセンブリ（10a、10b）の前記共振周波数に達しなかった場合、前記駆動信号が前記共振周波数に達する予想時刻に基づく第1の駆動期間（Ta）後に、前記駆動信号を中断することと、を行ように構成されており、
前記駆動信号を提供するように構成された前記1つまたは複数の信号プロセッサ（120）は、前記共振周波数を含む一定の範囲にわたって前記駆動信号の周波数を掃引するように構成された前記1つまたは複数の信号プロセッサ（120）を含む、1つまたは複数の信号プロセッサ（120）と、を備える、計器電子回路（100）。
【請求項５】
前記駆動信号を中断するように構成された前記1つまたは複数の信号プロセッサ（120）は、休止期間（Tb）によって前記駆動信号を中断するように構成された前記1つまたは複数の信号プロセッサ（120）を含む、請求項4に記載の計器電子回路（100）。
【請求項６】
前記1つまたは複数の信号プロセッサ（120）は、前記第1の駆動期間（Ta）後に前記計器アセンブリ（10a、10b）のための前記駆動信号を提供するようにさらに構成されている、請求項4または5に記載の計器電子回路（100）。
【請求項７】
駆動信号を制限するための二重振動センサシステム（5）であって、
前記二重振動センサシステム（5）は、
第1の計器アセンブリ（10a）と、
前記第1の計器アセンブリ（10a）に結合されている計器電子回路（100）と、
を備え、
前記計器電子回路（100）は、
共振周波数を有する前記第1の計器アセンブリ（10a）のための駆動信号を提供することと、
前記駆動信号が前記第1の計器アセンブリ（10a）の前記共振周波数に達しなかった場合、前記駆動信号が前記共振周波数に達する予想時刻に基づく第1の駆動期間（Ta）後に、前記駆動信号を中断することと、を行うように構成されており、
前記駆動信号を提供するように構成された前記計器電子回路（100）は、前記共振周波数を含む一定の範囲にわたって前記駆動信号の周波数を掃引するように構成された前記計器電子回路（100）を含む、二重振動センサシステム（5）。
【請求項８】
前記駆動信号を中断するように構成された前記計器電子回路（100）は、休止期間（Tb）によって前記駆動信号を中断するように構成された前記計器電子回路（100）を含む、請求項7に記載の二重振動センサシステム（5）。
【請求項９】
前記計器電子回路（100）は、前記第1の駆動期間（Ta）後に前記第1の計器アセンブリ（10a）のための前記駆動信号を提供するようにさらに構成されている、請求項7または8に記載の二重振動センサシステム（5）。
【請求項１０】
前記二重振動センサシステム（5）は、第2の計器アセンブリ（10b）をさらに備え、前記計器電子回路（100）は、前記第2の計器アセンブリ（10b）に結合され、
前記計器電子回路（100）は、前記第1の計器アセンブリ（10b）のための他の駆動信号を提供するよう構成されている、請求項7〜9のいずれか一項に記載の二重振動センサシステム（5）。
【誤訳訂正書】
【提出日】令和3年1月27日(2021.1.27)
【誤訳訂正１】
【訂正対象書類名】明細書
【訂正対象項目名】００２１
【訂正方法】変更
【訂正の内容】
【００２１】
本発明においては、溶着接合はレーザー溶着によって形成されると、その接合は、高速溶着で、狭くて細い溶着形状にして、低温掃引にて、行うことができることから、特に好ましい。通常、さらなる材料を用いることなく、レーザー溶着やレーザー光溶着が施されることは、知られている。レーザー照射は、光学系手段によって集束される。そのレーザー光の典型的な径は、１０分の数ｍｍの範囲内である。使用されるレーザーは、典型的な数キロワットのレーザー出力で処理すると、レーザー光は、非常に高いエネルギー濃度を発生する。その結果、本発明では、溶着により、シートの積層の外縁の少なくとも一箇所で、極めて薄い溶着によって、数枚のシートを一挙に接合することが可能となる。一列又は数列の溶着線は、少なくとも一箇所の端部に現れるものであってもよく、また、複数の溶着線は端面と周辺部位との少なくとも一箇所に現れるものであってもよい。このように、夫々のシートの安定した接合が達成でき、シートは簡便に剥離することができる。
【誤訳訂正書】
【提出日】令和3年1月21日(2021.1.21)
【誤訳訂正１】
【訂正対象書類名】特許請求の範囲
【訂正対象項目名】全文
【訂正方法】変更
【訂正の内容】
【特許請求の範囲】
【請求項１】
一組の容器（２００）の少なくとも１つの容器の隣に順番に配置されるように構成された少なくとも１つのノズル（１０１）を含む飲料調製用液状物質の供給装置（１００）であって，前記一組の容器（２００）と前記ノズル（１０１）との間の空間に放出された前記液状物質の蒸気の少なくとも１つの抽出装置（１１０）をさらに備え，該抽出装置（１１０）は，捕捉手段（１１１）と，前記液状物質の蒸気の回収手段（１１２）から成り，ガイド手段（１３０）に沿って摺動し，少なくとも１つの制御モータ（１５０）によって伝動手段（１４０）により移動される少なくとも１つのトロリー（１２０）をさらに備え，前記トロリー（１２０）は，前記少なくとも１つのノズル（１０１）及び前記液状物質の蒸気の抽出装置（１１０）を移送するよう設けられ，
前記ノズル（１０１）は，前記ノズル（１０１）に送られた液状物質を加熱するための少なくとも１つのボイラーを備える加熱圧力手段（１０２）に少なくとも１つの水圧に可撓性のチューブを介して連結され，前記加熱圧力手段（１０２）は，前記トロリー（１２０）に関して固定され，前記液状物質のソレノイドバルブ又はタイマー又は遮断要素を欠いており，かつ，
前記抽出装置（１１０）は，少なくとも１つの水圧に可撓性のチューブを介して少なくとも１つの送風機を含む吸引手段（１０３）に連結されて，前記トロリー（１２０）に取り付けられ，前記液状物質のソレノイドバルブ又はタイマー又は遮断要素を欠いていることを特徴とする供給装置（１００）。
【請求項２】
前記抽出装置（１１０）は，前記回収手段（１１２）を清掃することができるように前記トロリー（１２０）から分離可能であることを特徴とする請求項１記載の供給装置（１００）。
【請求項３】
前記捕捉手段（１１１）は，前記液状物質の蒸気を前記回収手段（１１２）及び少なくとも１つのタンクを備える前記回収手段（１１２）に送ることができるように，その基部を開口した少なくとも１つのフードを含み，前記捕捉手段（１１１）及び前記回収手段（１１２）は，その上部が開放された少なくとも１つの壁（１１３）によって分離され，前記トロリー（１２０）に対して閉塞可能に設けた閉鎖手段（１１４）を備えることを特徴とする請求項１記載の供給装置（１００）。
【請求項４】
前記ガイド手段（１３０）は，前記トロリー（１２０）を摺動させるように設けた少なくとも１対の調整ロッドを備え，前記伝動手段（１４０）は，前記トロリー（１２０）に対して無回転のピニオンと，前記制御されたモータ（１５０）の軸と一体であるピニオンとが連動するよう設けた歯付きベルトを備える請求項１〜３いずれか１項記載の供給装置（１００）。
【誤訳訂正２】
【訂正対象書類名】明細書
【訂正対象項目名】００２４
【訂正方法】変更
【訂正の内容】
【００２４】
供給装置１００の変形形態によれば，加熱圧力手段１０２は，トロリー１２０に関して固定され，液状物質のソレノイドバルブ又はタイマー又は遮断要素を備えていない。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
解剖学的領域に対して医療ツールを作動させる超音波モーターを備える、当該医療ツールと、
前記超音波モーターが前記解剖学的領域に対して前記医療ツールを作動させるとき、超音波トランスデューサによる前記超音波モーターによって放出された音響波の検知を示す音響検知データを生成する、当該超音波トランスデューサと、
前記超音波トランスデューサによる前記音響検知データの生成に応答して、前記超音波モーターによる前記医療ツールの作動を制御する超音波検知誘導コントローラと
を備える、超音波検知誘導システム。
【請求項２】
前記超音波検知誘導コントローラが、
音響検知データの前記超音波トランスデューサによる生成に応答して、前記超音波モーターによる前記医療ツールの前記作動を検出するツール作動検出器と、
前記解剖学的領域に対する前記医療ツールの作動位置の前記ツール作動検出器による検出に応答して、前記医療ツールの前記作動を制御する医療ツールアクチュエータと
を備える、請求項１に記載の超音波検知誘導システム。
【請求項３】
前記ツール作動検出器が、前記解剖学的領域に対する前記医療ツールの作動位置を検出し、
前記医療ツールアクチュエータが、前記解剖学的領域に対する前記医療ツールの前記作動位置から目標位置への、前記医療ツールの作動を指示する運動作動コマンドを生成し、
前記超音波モーターが、前記医療ツールアクチュエータによる前記運動作動コマンドの生成に応答して、前記作動位置から前記目標位置に前記医療ツールを作動させる、
請求項２に記載の超音波検知誘導システム。
【請求項４】
前記医療ツールアクチュエータが、前記解剖学的領域に対する前記医療ツールの前記作動位置と前記目標位置との間の誤差から前記運動作動コマンドを導出する、
請求項３に記載の超音波検知誘導システム。
【請求項５】
前記超音波検知誘導コントローラが、
運動コマンド分析器による前記音響波の波形分析から導出された、前記超音波モーターによる前記医療ツールの前記作動の、前記超音波検知誘導コントローラによる制御のステータスを確認する、当該運動コマンド分析器
を備える、請求項１に記載の超音波検知誘導システム。
【請求項６】
前記超音波検知誘導コントローラが、
前記超音波モーターによる前記医療ツールの前記作動の、前記超音波検知誘導コントローラによる制御における時間遅延を検出する制御遅延補償器
を備える、請求項１に記載の超音波検知誘導システム。
【請求項７】
前記超音波検知誘導コントローラが、
前記音響波の予想される波形と前記音響波の実際の受信された波形との間の差分の、運動状態分析器による分析から導出された、前記超音波モーターの作動状態を決定する、当該運動状態分析器
を備える、請求項１に記載の超音波検知誘導システム。
【請求項８】
前記超音波検知誘導コントローラが、
前記音響波の波形によって示された前記超音波モーターの問題を診断する診断マネージャ
を更に備える、請求項１に記載の超音波検知誘導システム。
【請求項９】
前記超音波トランスデューサは、更に、前記超音波モーターが、前記解剖学的領域に対する目標作動位置に前記医療ツールを作動させるとき、前記解剖学的領域に対する前記医療ツールの超音波撮像を示す超音波撮像データを生成し、
前記超音波検知誘導コントローラが、更に、前記超音波トランスデューサによる前記超音波撮像データの生成に応答して、前記解剖学的領域に対する前記医療ツールの前記超音波撮像内の目標位置の描画を制御する、
請求項１に記載の超音波検知誘導システム。
【請求項１０】
超音波トランスデューサと、超音波モーターを備える医療ツールとのための超音波検知誘導コントローラであって、前記超音波検知誘導コントローラは、
前記超音波モーターが解剖学的領域に対して前記医療ツールを作動させるとき、前記超音波モーターによる音響波の放出の、前記超音波トランスデューサによる検知を示す、音響検知データの前記超音波トランスデューサによる生成に応答して、前記解剖学的領域に対する前記医療ツールの作動を検出するツール作動検出器と、
前記解剖学的領域に対する前記超音波モーターによる前記医療ツールの前記作動の、前記ツール作動検出器による検出に応答して、前記解剖学的領域に対する、前記超音波モーターによる前記医療ツールの作動を制御する医療ツールアクチュエータと
を備える、超音波検知誘導コントローラ。
【請求項１１】
前記ツール作動検出器が、前記解剖学的領域に対する前記医療ツールの作動位置を検出し、
前記医療ツールアクチュエータが、前記解剖学的領域に対する前記医療ツールの検知された位置から目標位置への、前記医療ツールの作動を指示する運動作動コマンドを生成する、
請求項１０に記載の超音波検知誘導コントローラ。
【請求項１２】
運動コマンド分析器による前記音響波の波形分析から導出された、前記超音波モーターによる前記医療ツールの前記作動の、前記医療ツールアクチュエータによる制御のステータスを確認する、当該運動コマンド分析器
を更に備える、請求項１０に記載の超音波検知誘導コントローラ。
【請求項１３】
前記超音波モーターによる前記医療ツールの前記作動の、前記医療ツールアクチュエータによる制御における時間遅延を検出する制御遅延補償器
を更に備える、請求項１０に記載の超音波検知誘導コントローラ。
【請求項１４】
前記音響波の予想される波形と前記音響波の実際の受信された波形との間の差分の、運動状態分析器による分析から導出された、前記超音波モーターの作動状態を決定する、当該運動状態分析器
を更に備える、請求項１０に記載の超音波検知誘導コントローラ。
【請求項１５】
前記音響波の波形によって示された前記超音波モーターの問題を診断する診断マネージャ
を更に備える、請求項１０に記載の超音波検知誘導コントローラ。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
蒸気送出デバイスであって、
ハンドル部分と、
カートリッジ部分と、を有し、
前記ハンドル部分は、管腔と、前記管腔内に配置され且つＲＦエネルギの供給源に接続可能であるＲＦコイルを有し、
前記カートリッジ部分は、前記ハンドル部分の管腔に挿入されるように構成され、
前記カートリッジ部分は、患者の尿道に挿入されるように構成された細長いシャフトと、前記細長いシャフト内に配置された蒸気送出ニードルと、前記蒸気送出ニードル及び流体源に流体接続された蒸気コイルを含み、
前記ハンドル部分内への前記カートリッジ部分の挿入により、前記蒸気コイルを前記ＲＦコイル内に整列させ且つ位置決めする、蒸気送出デバイス。
【請求項２】
流体が前記流体源から前記蒸気コイルに送出されるとき、前記ＲＦコイルへのＲＦエネルギの誘導的な付与により、蒸気を前記蒸気コイル内に発生させる、請求項１に記載の蒸気送出デバイス。
【請求項３】
前記蒸気送出ニードルは、蒸気を患者の組織に送出するように構成される、請求項２に記載の蒸気送出デバイス。
【請求項４】
前記カートリッジ部分は、更に、第１のソレノイドコイル及び第２のソレノイドコイルと、前記蒸気送出ニードルの近位部分に取付けられたニードル駆動磁石を含み、
前記ニードル駆動磁石は、前記蒸気送出ニードルが後退位置にあるとき、前記第１のソレノイドコイル内に摺動可能に配置され、前記蒸気送出ニードルが延長位置にあるとき、前記第２のソレノイドコイル内に摺動可能に配置される、請求項１に記載の蒸気送出デバイス。
【請求項５】
更に、ニードル展開スイッチを前記ハンドル部分に有する、請求項４に記載の蒸気送出デバイス。
【請求項６】
前記蒸気送出ニードルは、前記ニードル展開スイッチの押込みによって、前記後退位置から前記延長位置まで完全に展開される、請求項５に記載の蒸気送出デバイス。
【請求項７】
前記蒸気送出ニードルは、前記ニードル展開スイッチの各押込みによって増分式に展開される、請求項５に記載の蒸気送出デバイス。
【請求項８】
前記蒸気送出ニードルは、１ｍｍの増分で展開される、請求項７に記載の蒸気送出デバイス。
【請求項９】
更に、前記蒸気送出ニードルに配置された位置センサを含み、前記位置センサは、前記蒸気送出ニードルの展開位置を決定するように構成される、請求項７に記載の蒸気送出デバイス。
【請求項１０】
前記位置センサが、前記蒸気送出ニードルが望ましい増分距離だけ移動しなかったことを示したら、前記蒸気送出ニードルは、前進することを阻止される、請求項９に記載の蒸気送出デバイス。
【請求項１１】
前記蒸気コイルは、インコネル（登録商標）チューブ材を含む、請求項１に記載の蒸気送出デバイス。
【請求項１２】
更に、前記カートリッジ部分が前記ハンドル部分の管腔に挿入されたときの前記カートリッジ部分の横移動を防止するように構成されたラッチを含む、請求項１に記載の蒸気送出デバイス。
【請求項１３】
前記カートリッジ部分が前記ハンドル部分の管腔に挿入されるとき、前記カートリッジ部分を回転させることができる、請求項１に記載の蒸気送出デバイス。
【請求項１４】
前記送出ニードルは、それが前記延長位置にあるとき、前記細長いシャフトから２４ｍｍよりも大きく延びることができない、請求項５に記載の蒸気送出デバイス。
【請求項１５】
前記蒸気送出ニードルは、膨脹可能なバルーンを含み、前記膨脹可能なバルーンは、蒸気が患者の組織内の穿刺孔から漏れることを阻止するように構成される、請求項１に記載の蒸気送出デバイス。
【請求項１６】
前記膨脹可能なバルーンは、前記蒸気送出ニードルの凹部内に位置決めされる、請求項１５に記載の蒸気送出デバイス。
【請求項１７】
前記膨脹可能なバルーンは、蒸気送出中、蒸気によって膨らまされる、請求項１５に記載の蒸気送出デバイス。
【請求項１８】
更に、前記ＲＦコイルへのＲＦエネルギの送出を制御するように構成された電子コントローラを有する、請求項１に記載の蒸気送出デバイス。
【請求項１９】
更に、前記蒸気コイルの出口部に配置された温度センサを有し、前記温度センサは、前記電子コントローラに電気的に結合され、前記蒸気コイルの出口部の流体又は蒸気の温度を測定するように構成される、請求項１８に記載の蒸気送出デバイス。
【請求項２０】
前記電子コントローラは、前記出口部の蒸気又は流体の測定温度が好ましい温度範囲の外側にあるとき、ＲＦエネルギの送出の停止を開始させるように構成される、請求項１９に記載の蒸気送出デバイス。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
近位端部、遠位先端部、及び空洞を有するマイクロカニューレであって、中心長手方向軸を有するマイクロカニューレと、
前記マイクロカニューレの前記近位端部に連結されたハンドルと、
前記マイクロカニューレの前記遠位先端部の周囲に延在する複数のオリフィスであって、各オリフィスは、前記中心長手方向軸に対して横方向に延在するチャネルを画定し、半径方向内側端部より半径方向において前記中心長手方向軸から遠くに位置決めされた半径方向外側端部を有し、各オリフィスは、前記マイクロカニューレの前記遠位先端部から半径方向外方に物質を送り出すように構成される、複数のオリフィスと、
前記マイクロカニューレの周囲の１つ又は複数の溝と
を備える、医療装置。
【請求項２】
前記マイクロカニューレの外径は、前記マイクロカニューレの長さに沿って変動する、請求項１に記載の医療装置。
【請求項３】
前記マイクロカニューレの第１の外径は、前記遠位先端部の端部における前記マイクロカニューレの第２の外径まで先細になり、前記中心長手方向軸に沿った前記第１の外径と前記第２の外径との間の距離は、前記第１の外径より小さい、請求項１に記載の医療装置。
【請求項４】
前記第１の外径は５００μｍ〜７００μｍの間であり、前記第２の外径は１００μｍ〜２００μｍの間である、請求項３に記載の医療装置。
【請求項５】
前記複数のオリフィスのうちの第１のオリフィスは、前記複数のオリフィスのうちの第２のオリフィスから１８０度離して配置される、請求項１に記載の医療装置。
【請求項６】
前記複数のオリフィスは、前記中心長手方向軸上の近位先端部から同じ距離に配置される、請求項１に記載の医療装置。
【請求項７】
前記１つ又は複数の溝は、前記マイクロカニューレの前記遠位先端部に位置付けられる、請求項１に記載の医療装置。
【請求項８】
前記１つ又は複数の溝のそれぞれは、１５μｍ〜３５μｍの間の深さを有する、請求項１に記載の医療装置。
【請求項９】
前記１つ又は複数の溝のそれぞれは、前記複数のオリフィスの近位に形成される、請求項１に記載の医療装置。
【請求項１０】
前記１つ又は複数の溝は、等距離で配置された少なくとも３つの溝を含む、請求項１に記載の医療装置。
【請求項１１】
前記物質は粘弾性流体であり、前記ハンドルは、前記粘弾性流体を含むリザーバと、前記粘弾性流体を半径方向外方に前記オリフィスを通して排出するように構成されたアクチュエーターとを備える、請求項１に記載の医療装置。
【請求項１２】
前記半径方向外側端部は、前記半径方向内側端部より遠位に位置決めされて、前記複数のオリフィスのそれぞれは、前記マイクロカニューレから遠位に且つ半径方向外方に前記物質を送り出すように構成される、請求項１に記載の医療装置。
【請求項１３】
遠位端部及び空洞を有する外側カニューレであって、前記外側カニューレは、中心長手方向軸及び１つ又は複数の突出部を有し、前記外側カニューレの前記１つ又は複数の突出部は、前記外側カニューレの前記遠位端部で周囲に延在し、前記外側カニューレの前記空洞内に位置付けられる、外側カニューレ
を更に備える、請求項１に記載の医療装置。
【請求項１４】
前記マイクロカニューレは、前記外側カニューレの内部に移動可能に収容され、１つ又は複数の突出部が、前記マイクロカニューレの外周表面に位置付けられる、請求項１３に記載の医療装置。
【請求項１５】
前記外側カニューレ及び前記マイクロカニューレのうちの１つの前記１つ又は複数の突出部は、等間隔で配置される複数の突出部を含む、請求項１４に記載の医療装置。
【請求項１６】
前記マイクロカニューレの前記遠位先端部が前記外側カニューレの内部にある場合に、前記マイクロカニューレの前記１つ又は複数の突出部は、前記外側カニューレの前記１つ又は複数の突出部より近位にある、請求項１４に記載の医療装置。
【請求項１７】
前記マイクロカニューレの前記遠位先端部の少なくとも一部が前記外側カニューレの前記遠位端部の外に動かされた場合に、前記マイクロカニューレの前記１つ又は複数の突出部は、前記外側カニューレの前記１つ又は複数の突出部より遠位にある、請求項１４に記載の医療装置。
【請求項１８】
外側管であって、前記マイクロカニューレは前記外側管の内部に収容され、前記外側管の遠位端部に位置付けられた開口を含む外側管と、
前記ハンドルの近位に位置付けられた制御機構であって、前記開口を通して第１のオリフィスを露出させる第１の回転位置に前記外側管を回転させ、前記第１のオリフィスを覆う第２の回転位置に前記外側管を回転させるように構成された制御機構と
を更に備える、請求項１に記載の医療装置。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
変性認知症を処置するための超音波デバイスであって、
超音波ビームを生成するためのトランスデューサと、
前記トランスデューサのアクティブ化を制御し、超音波ビームパルスを作成し、脳の標的面積内の星状細胞指を刺激し、前記変性認知症に少なくとも部分的に応答する、前記標的面積内の間質腔におけるアミロイド前駆体タンパク質の除去を助長するプロセッサと、
を備える、超音波デバイス。
【請求項２】
前記プロセッサはさらに、脳の溶質廃棄に応答する対流プロセスを駆動する、ニューロンの天然に存在する深睡眠バースト周波数および後続の星状細胞活性化パターンを刺激するために、所定の周波数の前記超音波ビームパルスを生成するように構成される、請求項１に記載の超音波デバイス。
【請求項３】
前記超音波ビームパルスの繰り返し数は、１〜４ヘルツである、請求項１または２に記載の超音波デバイス。
【請求項４】
前記プロセッサはさらに、２５０ミリ秒（ｍｓ）〜１，０００ｍｓの期間によって分離されたパルスの群を含むパルス列を生成するように構成される、請求項１〜３のいずれかに記載の超音波デバイス。
【請求項５】
前記プロセッサはさらに、０．２〜５ｍｓの持続時間のパルスの群における前記パルスを生成するように構成される、請求項４に記載の超音波デバイス。
【請求項６】
前記プロセッサはさらに、パルスの群における前記パルス間に、約１０ｍｓの期間を生成するように構成される、請求項４または５に記載の超音波デバイス。
【請求項７】
前記プロセッサはさらに、約５０ｍｓの持続時間にわたってパルスの群のそれぞれを生成するように構成される、請求項４〜６のいずれかに記載の超音波デバイス。
【手続補正２】
【補正対象書類名】明細書
【補正対象項目名】００１４
【補正方法】変更
【補正の内容】
【００１４】
脳内の部位標的化は、患者毎の最も影響を及ぼされる認知領域に依存し得る。例えば、主に海馬に影響を及ぼす、顕著な健忘症候群を伴うアルツハイマー病に関して、側頭窓を通した海馬が、標的化されてもよい。トランスデューサシステムは、他の変性認知症に関して、脳の他の面積を標的化してもよい。例えば、トランスデューサシステムは、言語機能と関連付けられる側頭葉の異なる面積に超音波を集束させてもよい。一実施例では、患者は、記憶および言語両方の喪失の兆候を示し得、超音波は、脳の両方の関連付けられる面積に印加されてもよい。
本発明は、例えば、以下を提供する。
（項目１）
変性認知症を処置するために超音波トランスデューサを動作させるための方法であって、
トランスデューサを患者の頭部に取り付けるステップと、
超音波ビームを、前記トランスデューサから前記患者の脳の中に指向するステップと、
前記変性認知症に少なくとも部分的関わる少なくとも部分的に応答する間質経路内に蓄積する物質の除去を助長するために、前記超音波ビームを前記脳の標的面積に集束させ、ステップと、
を含む、方法。
（項目２）
前記脳の標的面積は、海馬を含み、前記変性認知症は、アルツハイマー病である、項目１に記載の方法。
（項目３）
脳組織を刺激するために、脳の溶質廃棄に応答する対流プロセスを駆動する、ニューロンの天然に存在する深睡眠バースト周波数および後続の星状細胞活性化パターンに対応する周波数で、前記超音波ビームを前記脳の中に放射するステップをさらに含む、項目１に記載の方法。
（項目４）
前記バースト周波数は、１〜４ヘルツである、項目３に記載の方法。
（項目５）
間質腔開口部および睡眠の間に改良されるリンパ流によって引き起こされる溶質除去を、ソノリシスを用いて最適化するために、前記患者が睡眠している間、前記超音波ビームを前記標的面積に印加するステップをさらに含む、項目１に記載の方法。
（項目６）
ノルエピネフリン神経支配を遮断し、星状細胞を収縮させ、前記間質経路を開放するために、前記患者がデクスメデトミジンを摂取した後、前記超音波ビームを前記標的面積に集束させるステップをさらに含む、項目５に記載の方法。
（項目７）
超音波ビームを、１平方センチメートル（Ｃｍ２）あたり約６５０〜１０，０００ミリワット（ｍｗ）の電力レベルで前記標的面積に印加するステップをさらに含む、項目１に記載の方法。
（項目８）
星状細胞指を刺激し、対流力を産出し、流体を前記間質腔に沿って移動させ、アミロイド前駆体タンパク質を流し出すために、前記超音波ビームを前記標的面積に印加するステップをさらに含む、項目１に記載の方法。
（項目９）
深睡眠の患者エピソードを刺激するために、前記超音波ビームを、約３０〜９０分にわたって前記標的面積に印加するステップをさらに含む、項目１に記載の方法。
（項目１０）
第１の記憶障害認知症と関連付けられる、前記脳の第１の標的面積を識別するステップと、
前記第１の記憶障害認知症を処置するために、前記超音波ビームを前記第１の標的面積に集束させるステップと、
第２の言語障害認知症と関連付けられる、前記脳の第２の標的面積を識別するステップと、
前記第２の言語障害認知症を処置するために、前記第１の標的面積の処置の後に、前記超音波ビームを前記第２の標的面積に集束させるステップと、
をさらに含む、項目１に記載の方法。
（項目１１）
前記超音波ビームを、前記脳の約２．５〜３．５センチメートル（ｃｍ）内側の標的面積に集束させるステップをさらに含む、項目１に記載の方法。
（項目１２）
変性認知症を処置するための超音波デバイスであって、
超音波ビームを生成するための、トランスデューサと、
前記トランスデューサのアクティブ化を制御し、超音波ビームパルスを作成し、前記脳の標的面積内の星状細胞指を刺激し、前記変性認知症に少なくとも部分的に応答する、前記標的面積内の間質腔におけるアミロイド前駆体タンパク質の前記除去を助長する、プロセッサと、
を備える、超音波デバイス。
（項目１３）
前記プロセッサはさらに、脳の溶質廃棄に応答する対流プロセスを駆動する、ニューロンの天然に存在する深睡眠バースト周波数および後続の星状細胞活性化パターンを刺激するために、所定の周波数の前記超音波ビームパルスを生成するように構成される、項目１２に記載の超音波デバイス。
（項目１４）
前記超音波ビームパルス繰り返し数は、１〜４ヘルツである、項目１２に記載の超音波デバイス。
（項目１５）
前記プロセッサはさらに、２５０ミリ秒（ｍｓ）〜１，０００ｍｓの期間によって分離されたパルスの群を含む、パルス列を生成するように構成される、項目１２に記載の超音波デバイス。
（項目１６）
前記プロセッサはさらに、０．２〜５ｍｓの持続時間のパルスの群における前記パルスを生成するように構成される、項目１５に記載の超音波デバイス。
（項目１７）
前記プロセッサはさらに、パルスの群における前記パルス間に、約１０ｍｓの期間を生成するように構成される、項目１５に記載の超音波デバイス。
（項目１８）
前記プロセッサはさらに、約５０ｍｓの持続時間にわたってパルスの群のそれぞれを生成するように構成される、項目１５に記載の超音波デバイス。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
半球形状の透過性封止端部を有する細長い導入プローブを備えるレーザ照射アセンブリと、
拡散先端部と、光ファイバコネクタとを有する光ファイバと、
前記光ファイバと光通信するように構成され、前記光ファイバを通して、前記レーザ照射アセンブリに放射線を送るように構成されたレーザ光源と、
前記レーザ照射アセンブリと流体的に連通するように構成された冷却剤槽と、
前記冷却剤槽から前記レーザ照射アセンブリに冷却剤を搬送するように構成された冷却剤入口管と、
前記冷却剤入口管を介して前記冷却剤槽から前記レーザ照射アセンブリに冷却剤を搬送し、前記光ファイバを冷却するように構成されたポンプと、
前記レーザ照射アセンブリと流体的に連通し、前記レーザ照射アセンブリからの冷却剤を受け入れるように構成された冷却剤回収バッグと、
前記レーザ照射アセンブリから前記冷却剤回収バッグに冷却剤を搬送するように構成された冷却剤出口管と、を備え、
前記光ファイバコネクタは、前記レーザ照射アセンブリと係合するように構成され、前記光ファイバコネクタは、前記レーザ照射アセンブリと係合すると、前記光ファイバの前記拡散先端部が前記レーザ照射アセンブリ内に配置され、
前記レーザ光源は、作動すると、光ファイバ及び前記封止端部を介して、電磁放射線を送ることを特徴とするレーザ照射システム。
【請求項２】
前記レーザ光源を作動及び停止するように構成されたアクチュエータを更に備えることを特徴とする請求項１に記載のシステム。
【請求項３】
前記アクチュエータは、フットペダルであることを特徴とする請求項２に記載のシステム。
【請求項４】
前記アクチュエータは、また、前記ポンプを制御することを特徴とする請求項１又は２に記載のシステム。
【請求項５】
前記レーザ光源及び前記ポンプは、前記アクチュエータにより略同時に作動し、前記レーザ光源及び前記ポンプは、前記アクチュエータにより略同時に停止することを特徴とする請求項４に記載のシステム。
【請求項６】
前記冷却剤入口管は、タイゴンであることを特徴とする請求項１乃至５のいずれか１項に記載のシステム。
【請求項７】
前記冷却剤入口管の長さは、約４メートルであることを特徴とする請求項１乃至６のいずれか１項に記載のシステム。
【請求項８】
前記冷却剤入口管は、低量で冷却剤を流すように構成されたことを特徴とする請求項１乃至７のいずれか１項に記載のシステム。
【請求項９】
前記冷却剤入口管は、約８ｍｌ／分で冷却剤を流すように構成されたことを特徴とする請求項１乃至８のいずれか１項に記載のシステム。
【請求項１０】
前記レーザ光源は、近赤外線である放射線を提供することを特徴とする請求項１乃至９のいずれか１項に記載のシステム。
【請求項１１】
前記レーザ光源は、約８０５ｎｍ〜約８１０ｎｍの範囲の波長を有する放射線を提供することを特徴とする請求項１乃至１０のいずれか１項に記載のシステム。
【請求項１２】
前記光ファイバは、前記光ファイバから前記レーザ照射アセンブリの外へ放射線を分配するように構成された拡散部を備えることを特徴とする請求項１乃至１１のいずれか１項に記載のシステム。
【請求項１３】
前記光ファイバの前記拡散部の長さは、約１．０ｃｍ〜約１．８ｃｍの範囲であることを特徴とする請求項１２に記載のシステム。
【請求項１４】
レーザ光を透過するように構成された封止半球形状端部で終端する第１内腔を有する導入プローブと、
前記導入プローブの前記第１内腔内に配置され、第２内腔を有する内側管と、
光ファイバと、を備え、
前記光ファイバは、前記第２内腔内に配置され、
前記光ファイバは、前記導入プローブの前記封止半球形状端部を介してレーザ放射線を送り、
前記第１内腔は、前記第２内腔と流体的に連通していることを特徴とするレーザ照射装置。
【請求項１５】
前記第１内腔と流体的に連通した冷却剤出口と、前記第２内腔と流体的に連通した冷却剤入口と、を備え、
前記レーザ照射アセンブリは、前記冷却剤入口から前記第２内腔を介して前記第１内腔へ冷却剤を通過させ、前記冷却剤出口から前記冷却剤を排出させるように構成されたことを特徴とする請求項１４に記載の装置。
【請求項１６】
前記流体入口と、前記流体出口とは、異なるコネクタで相互に作用し、前記レーザ照射装置を介した冷却剤の不適切なルートを防ぐように構成されていることを特徴とする請求項１５に記載の装置。
【請求項１７】
前記流体入口と、前記流体出口とは、異なる性別であることを特徴とする請求項１５又は請求項１６に記載の装置。
【請求項１８】
前記流体入口は、雄型コネクタを備え、前記流体出口は、雌型コネクタを備えることを特徴とする請求項１５乃至１７のいずれか１項に記載の装置。
【請求項１９】
光ファイバは、前記光ファイバから前記レーザ照射アセンブリの外へ放射線を分配するように構成された拡散部を備えることを特徴とする請求項１５乃至１８のいずれか１項に記載の装置。
【請求項２０】
前記光ファイバの前記拡散部の長さは、約１．０ｃｍ〜約１．８ｃｍの範囲であることを特徴とする請求項１９に記載の装置。
【請求項２１】
前記プローブの外側は目盛付であることを特徴とする請求項１４乃至２０のいずれか１項に記載の装置。
【請求項２２】
前記目盛は、約４ｍｍ間隔であることを特徴とする請求項２１に記載の装置。
【請求項２３】
腫瘍の治療方法に使用される請求項１乃至１３のいずれか１項に記載のシステム又は請求項１４乃至２２のいずれか１項に記載の装置。
【請求項２４】
前立腺腫瘍の治療方法に使用される請求項１乃至１３のいずれか１項に記載のシステム又は請求項１４乃至２２のいずれか１項に記載の装置。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
胎児の撮像ボリュームを含む超音波撮像データを記憶するデータ記憶装置と、
前記データ記憶装置と通信可能に結合され、ユーザインターフェースに応答するプロセッサ装置と、
前記プロセッサ装置の制御下にある表示デバイスと、
を含み、
前記プロセッサ装置は、
前記撮像ボリューム内で細長い形状を有する胎児基準構造を特定し、
前記胎児基準構造上に基準点を規定し、
前記ユーザインターフェースからの平行移動命令を、特定された前記胎児基準構造の伸長方向に沿った前記基準点の平行移動として解釈し、
前記表示デバイス上に、前記撮像ボリュームを、前記伸長方向に垂直な前記撮像ボリュームのボリュームスライスであって、平行移動した前記基準点と一致するボリュームスライスと共に表示し、
表示された前記撮像ボリューム内の前記胎児基準構造の前記細長い形状に沿った前記平行移動を視覚化する、
超音波撮像システム。
【請求項２】
細長い形状を有する前記胎児基準構造は、前記胎児の脊椎である、請求項１に記載の超音波撮像システム。
【請求項３】
前記プロセッサ装置は更に、
平行移動した前記基準点と一致する前記ボリュームスライス内の前記胎児の潜在的な解剖学的特徴を認識し、
表示された前記ボリュームスライス内の認識された前記潜在的な解剖学的特徴を強調表示する、請求項１又は２に記載の超音波撮像システム。
【請求項４】
認識された前記潜在的な解剖学的特徴は、認識された前記潜在的な解剖学的特徴の上のカラーオーバーレイによって強調表示される、請求項３に記載の超音波撮像システム。
【請求項５】
前記プロセッサ装置は更に、
認識された前記潜在的な解剖学的特徴のユーザ確認を受信し、
前記ユーザ確認で前記撮像ボリュームを増強する、請求項３又は４に記載の超音波撮像システム。
【請求項６】
前記プロセッサ装置は、認識された潜在的な解剖学的特徴の１つ以上の受信されたユーザ確認を使用して、多関節胎児モデルを前記撮像ボリュームに適合させる、請求項５に記載の超音波撮像システム。
【請求項７】
前記胎児の前記撮像ボリュームを取得する超音波プローブを更に含む、請求項１から６の何れか一項に記載の超音波撮像システム。
【請求項８】
超音波撮像システムを用いて胎児の撮像ボリュームのボリュームスライスを視覚化する方法であって、
データ記憶装置から前記撮像ボリュームを読み出すステップと、
前記撮像ボリューム内で細長い形状を有する胎児基準構造を特定するステップと、
前記胎児基準構造上に基準点を規定するステップと、
ユーザインターフェースからの平行移動命令を、特定された前記胎児基準構造の伸長方向に沿った前記基準点の平行移動として解釈するステップと、
前記撮像ボリュームを、前記伸長方向に垂直な前記撮像ボリュームのボリュームスライスと共に表示するステップであって、前記ボリュームスライスは、平行移動した前記基準点と一致する、表示するステップと、
表示された前記撮像ボリューム内の前記胎児基準構造の前記細長い形状に沿った前記平行移動を視覚化するステップと、
を含む、方法。
【請求項９】
平行移動した前記基準点と一致する前記ボリュームスライス内の前記胎児の潜在的な解剖学的特徴を認識するステップと、
表示された前記ボリュームスライス内の認識された前記潜在的な解剖学的特徴を強調表示するステップと、
を更に含む、請求項８に記載の方法。
【請求項１０】
認識された前記潜在的な解剖学的特徴は、認識された前記潜在的な解剖学的特徴の上のカラーオーバーレイによって強調表示される、請求項９に記載の方法。
【請求項１１】
認識された前記潜在的な解剖学的特徴のユーザ確認を受信するステップと、
前記ユーザ確認を用いて、前記データ記憶装置に記憶されている前記撮像ボリュームを増強させるステップと、
を更に含む、請求項９又は１０に記載の方法。
【請求項１２】
認識された潜在的な解剖学的特徴の１つ以上の受信されたユーザ確認を使用して、多関節胎児モデルを前記撮像ボリュームに適合させるステップを更に含む、請求項１１に記載の方法。
【請求項１３】
請求項１から７の何れか一項に記載の超音波撮像システムのプロセッサ装置上で実行されると、前記プロセッサ装置に、請求項８から１２の何れか一項に記載の方法を実施させるように具現化されたコンピュータ可読プログラム命令を有する、コンピュータ可読記憶媒体。